(57)【要約】【課題】  ネットワークリソースを柔軟に利用できる仕組みを提供すること。【解決手段】  仮想ネットワーク構築において、物理的、または仮想的なネットワークリソース情報を一旦プールするモデルを確立する。プールされたリソース情報１３０４を使って仮想ネットワーク１３０５の構築が可能であり、また、仮想ネットワーク構築に使用せずプールに残ったリソース情報１３０４は、別のリソースプール１３０６を作成しリソース情報を分配できるようにした。分配先のリソースプール１３０６は異なるユーザによる管理を可能とし、当該ユーザが自由に仮想ネットワーク１３０７を構築し、さらにリソースを異なるユーザに分配できる。【選択図】  図１３
2016116184.tif 000002
【特許請求の範囲】
【請求項１】
網監視装置であって、
制御部と、
リソースプールＩＤ、リソースＮＥＩＤ、リソースポートＩＤ、リソースポートの最大帯域、リソースポートの使用帯域が対応して格納されるリソースオブジェクト管理テーブルと、
リソースリンクＩＤ、リソースプールＩＤ、リソースリンクの両端のポートのリソースポートＩＤが対応して格納されるリソースリンク管理テーブルと、
リソースの全体または一部を用いて論理的に構築された仮想的なネットワークであるスライスのスライスＩＤ、仮想ＮＥＩＤ、仮想ポートＩＤ、仮想ポートの最大帯域が対応して格納される仮想オブジェクト管理テーブルと、
スライスＩＤ、仮想リンクＩＤ、仮想リンクの両端のポートの仮想ポートＩＤが対応して格納される仮想リンク管理テーブルと、
を備え、
前記制御部は、
スライス割当要求があると、前記リソースオブジェクト管理テーブルを検索し、登録されているリソースプールの一覧を、管理端末に送り、
前記管理端末から、選択されたリソースプールＩＤを受け、前記リソースオブジェクト管理テーブルを検索し、選択されたリソースプールＩＤに一致するレコードからリソースＮＥＩＤおよびリソースポートＩＤを、それぞれ全てまたは予め定められた複数取得し、リソースＮＥＩＤ・リソースポートＩＤ一覧として前記管理端末に送り、
前記管理端末により、前記リソースＮＥＩＤ・リソースポートＩＤ一覧から選択されたひとつまたは複数のリソースＮＥＩＤと、ひとつまたは複数のリソースポートＩＤと、選択したリソースポートＩＤ毎の割当て帯域とを受け、前記リソースリンク管理テーブルを検索し、選択されたひとつまたは複数のリソースＮＥＩＤおよびひとつまたは複数のリソースポートＩＤの組合わせに一致するレコードからリソースリンクＩＤを全てまたは予め定められた複数取得し、リソースリンクＩＤ一覧として、前記管理端末に送り、
前記管理端末により、前記リソースリンクＩＤ一覧から選択されたひとつまたは複数のリソースリンクＩＤを受け、
選択された前記リソースプールＩＤ、前記リソースＮＥＩＤ、前記リソールポートＩＤ、前記割当て帯域を、前記仮想オブジェクト管理テーブルのスライスＩＤ、仮想ＮＥＩＤ、仮想ポートＩＤ、仮想ポートの最大帯域に、それぞれ登録し、選択された前記リソースプールＩＤ、前記リソースリンクＩＤ、リソースリンクの両端のポートのリソースポートＩＤを、前記仮想リンク管理テーブルのスライスＩＤ、仮想リンクＩＤ、仮想リンクの両端のポートに、それぞれ登録し、前記仮想オブジェクト管理テーブルおよび前記仮想オブジェクト管理テーブルによりスライスを割当てる
網監視装置。
【請求項２】
請求項１に記載の網監視装置において、
前記制御部は、
前記管理端末により、前記リソースＮＥＩＤ一覧から選択されたひとつまたは複数のリソースＮＥＩＤを受け、前記リソースオブジェクト管理テーブルを検索し、選択されたひとつまたは複数のリソースＮＥＩＤに一致するレコードからリソースポートＩＤを全てまたは予め定められた複数取得し、リソースポートＩＤ一覧として、前記管理端末に送り、
前記管理端末により、前記リソースポートＩＤ一覧から選択されたひとつまたは複数のリソースポートＩＤと、選択したリソースポートＩＤ毎の割当て帯域とを受け、前記リソースリンク管理テーブルを検索し、選択されたリリソースポートＩＤが、リソースポートＩＤに一致するレコードからリソースリンクＩＤを全てまたは予め定められた複数取得し、前記リソースリンクＩＤ一覧として、前記管理端末に送る
ことを特徴とする網監視装置。
【請求項３】
請求項１に記載の網監視装置において、
物理ネットワークの識別情報であるネットワークＩＤ、ＮＥＩＤ、ポートＩＤ、ポートの最大帯域、ポートの使用帯域が対応して格納される物理ネットワークオブジェクト管理テーブルと、
リンクＩＤ、ネットワークＩＤ、リンクの両端のポートのポートＩＤが対応して格納されるリンク管理テーブルと、
を備え、
前記制御部は、
前記物理ネットワークオブジェクト管理テーブルのネットワークＩＤ、ＮＥＩＤ、ポートＩＤ、最大帯域、使用帯域に登録されている値を、前記リソースオブジェクト管理テーブルのリソースプールＩＤ、リソースＮＥＩＤ、リソースポートＩＤ、最大帯域、使用帯域に、それぞれ登録し、
前記物理ネットワークオブジェクト管理テーブルのコピー元レコードの使用帯域に、最大帯域を登録し、
前記リンク管理テーブルのリンクＩＤ、ネットワークＩＤ、リンクの両端のポートのポートＩＤに登録されている値を、前記リソースリンク管理テーブルのリソースリンクＩＤ、リソースプールＩＤ、リソースリンクの両端のポートのリソースポートＩＤに、それぞれ登録する
ことを特徴とする網監視装置。
【請求項４】
請求項１に記載の網監視装置において、
前記制御部は、
前記スライスを割当後の前記リソースオブジェクト管理テーブルの、該当するリソースプールＩＤ、リソースＮＥＩＤ、リソールポートＩＤ、最大帯域に対する、データの使用帯域に、前記割当て帯域を記憶することを特徴とする網監視装置。
【請求項５】
請求項１に記載の網監視装置において、
前記制御部は、
前記リソースオブジェクト管理テーブルおよび前記リソースリンク管理テーブルに登録されているリソースから、登録元とするリソースプールＩＤ、登録したいリソースＮＥＩＤおよびリソースポートＩＤを選択し、前記リソースオブジェクト管理テーブルまたは前記リソースリンク管理テーブルに、リソースプールを新規作成して、新たなリソースプールＩＤを採番してレコードを登録する、または、すでに登録済のリソースプールＩＤに追加登録することを特徴とする網監視装置。
【請求項６】
網監視装置における仮想ネットワーク管理方法であって、
前記網監視装置は、
制御部と、
リソースプールＩＤ、リソースＮＥＩＤ、リソースポートＩＤ、リソースポートの最大帯域、リソースポートの使用帯域が対応して格納されるリソースオブジェクト管理テーブルと、
リソースリンクＩＤ、リソースプールＩＤ、リソースリンクの両端のポートのリソースポートＩＤが対応して格納されるリソースリンク管理テーブルと、
リソースの全体または一部を用いて論理的に構築された仮想的なネットワークであるスライスのスライスＩＤ、仮想ＮＥＩＤ、仮想ポートＩＤ、仮想ポートの最大帯域が対応して格納される仮想オブジェクト管理テーブルと、
スライスＩＤ、仮想リンクＩＤ、仮想リンクの両端のポートの仮想ポートＩＤが対応して格納される仮想リンク管理テーブルと、
を備え、
前記制御部は、
スライス割当要求があると、前記リソースオブジェクト管理テーブルを検索し、登録されているリソースプールの一覧を、管理端末に送り、
前記管理端末から、選択されたリソースプールＩＤを受け、前記リソースオブジェクト管理テーブルを検索し、選択されたリソースプールＩＤに一致するレコードからリソースＮＥＩＤおよびリソースポートＩＤを、それぞれ全てまたは予め定められた複数取得し、リソースＮＥＩＤ・リソースポートＩＤ一覧として前記管理端末に送り、
前記管理端末により、前記リソースＮＥＩＤ・リソースポートＩＤ一覧から選択されたひとつまたは複数のリソースＮＥＩＤと、ひとつまたは複数のリソースポートＩＤと、選択したリソースポートＩＤ毎の割当て帯域とを受け、前記リソースリンク管理テーブルを検索し、選択されたひとつまたは複数のリソースＮＥＩＤおよびひとつまたは複数のリソースポートＩＤの組合わせに一致するレコードからリソースリンクＩＤを全てまたは予め定められた複数取得し、リソースリンクＩＤ一覧として、前記管理端末に送り、
前記管理端末により、前記リソースリンクＩＤ一覧から選択されたひとつまたは複数のリソースリンクＩＤを受け、
選択された前記リソースプールＩＤ、前記リソースＮＥＩＤ、前記リソールポートＩＤ、前記割当て帯域を、前記仮想オブジェクト管理テーブルのスライスＩＤ、仮想ＮＥＩＤ、仮想ポートＩＤ、仮想ポートの最大帯域に、それぞれ登録し、選択された前記リソースプールＩＤ、前記リソースリンクＩＤ、リソースリンクの両端のポートのリソースポートＩＤを、前記仮想リンク管理テーブルのスライスＩＤ、仮想リンクＩＤ、仮想リンクの両端のポートに、それぞれ登録し、前記仮想オブジェクト管理テーブルおよび前記仮想オブジェクト管理テーブルによりスライスを割当てる
仮想ネットワーク管理方法。
【請求項７】
請求項６に記載の仮想ネットワーク管理方法において、
前記制御部は、
第１のリソースプールには物理ネットワークリソースに対応する全てのリソースが含まれ、第１の通信キャリアの管理端末は、自身で管理したいネットワークリソースを前記第１のリソースプールから第１のスライスに割当て、
第１のスライスに割り当てずに残った前記第１のリソースプールの残リソースについて、前記第１の通信キャリアの管理端末は第２の通信キャリアに対して、前記第１のリソースプールから新たな第２のリソースプールを登録し、これを記第２の通信キャリアに貸し出し、
前記第２の通信キャリアの管理端末は、前記第１の通信キャリアから借りた前記第２のリソースプールを使って第２のスライスを割当てる
ことを特徴とする仮想ネットワーク管理方法。
【請求項８】
請求項７に記載の仮想ネットワーク管理方法において、
前記第２の通信キャリアの管理端末から前記第１の通信キャリアの管理端末に対し、リソースプールの貸し出し要求を行ったとき、
前記第１の通信キャリアの管理端末は、前記第２の通信キャリア用のリソースプールを登録するよう前記網監視装置に依頼し、前記網監視装置は、前記第２の通信キャリア用のリソースプールを登録し、
前記第１の通信キャリアの管理端末は、前記第２の通信キャリア用のリソースプールの管理権限を前記第２の通信キャリアに付与するよう前記網監視装置に依頼し、前記網監視装置は、前記第２の通信キャリアの管理端末に、前記第２の通信キャリア用のリソースプールを貸し出す
ことを特徴とする仮想ネットワーク管理方法。
【請求項９】
請求項８に記載の仮想ネットワーク管理方法において、
前記第１の通信キャリアの管理端末により、前記第１のリソースプールから前記第１の通信キャリアが管理するためのスライスに割り当てるリソースを前記第１のリソースプールから選択し、
前記第１の通信キャリアの管理端末により、前記第１のリソースプールの残リソースを確認し、残リソースが無ければスライス割当は失敗とし、残リソースがあればスライスの割当てを実行する
ことを特徴とする仮想ネットワーク管理方法。
【請求項１０】
請求項８に記載の仮想ネットワーク管理方法において、
前記第２の通信キャリアの管理端末により、自身が管理できるリソースプールの有無を確認し、リソースプールが無ければ、前記第１の通信キャリアの管理端末にリソースプールの貸し出し要求を行い、
前記第１の通信キャリアの管理端末により、前記第２の通信キャリア用のリソースプールを新規登録し、前記第２の通信キャリアが要求したリソースに対し、前記第１の通信キャリアが管理するリソースプールのリソースの残量が足りなければ前記第２の通信キャリア用のリソースプール登録は失敗とし、残量が足りれば、前記第２の通信キャリア用のリソースプールを登録し、
前記第２の通信キャリアの管理端末により、スライスに割り当てたいリソースが自身に貸し出されたリソースプールに存在するかどうかを確認し、残リソースが無ければスライス割当は失敗とし、残リソースがあればスライス割当を実行する
ことを特徴とする仮想ネットワーク管理方法。
【発明の詳細な説明】
【技術分野】
【０００１】
本発明は、網監視装置および仮想ネットワーク管理方法に係り、特に、ネットワーク仮想化技術における、ネットワークリソースを割当てるための網監視装置および仮想ネットワーク管理方法に関する。
【背景技術】
【０００２】
近年のクラウドサービスの利用拡大に伴い、端末やデータセンタにおける情報通信サービスの多様化が進展し、公衆網を経由するトラヒックの特性も多様化が進んでいる。一方、サービスを構成するネットワーク全体を見ると、パケットや光などの多数の通信機器が階層的に配備されるような複雑化が進んでいる。このような環境において、サービスの仕様変更や大幅なトラヒック変動に対し、ネットワーク全体が柔軟かつ迅速に対応する必要が有る。
また、今日の通信ネットワークでは、ネットワーク人口の増加や各種通信サービスの普及により、インターネット内のトラヒック量が将来的に急激に増大することが予想される。トラヒック量の増大にともない、それを処理するサーバやルータなどのIT機器も増加する傾向にあり、コスト削減の観点からも、サーバやルータなどのネットワーク機器運用効率を最大化し限られた資源で最大限のパフォーマンスを引き出す運用技術が必要とされている。
【０００３】
一般に、限られたネットワーク資源を効率的に利用する技術として仮想化技術がある。仮想化ネットワークにおいてもサービスの仕様変更や大幅なトラヒック変動に対して柔軟かつ迅速にネットワーク構成を対応する必要が有る。
一般に、限りあるリソースの使用を効率よく、最適化するさまざまな仮想化技術が知られている。
特許文献１には、トラフィックパターンの変動を検知し、物理リソースを動的に割り当てることでネットワークの品質低下を防ぐネットワーク資源管理方法を提案している。
【先行技術文献】
【特許文献】
【０００４】
【特許文献１】特開２０１４−０９０５０１号公報
【発明の概要】
【発明が解決しようとする課題】
【０００５】
特許文献１では、たとえば利用頻度の低い仮想網があった場合、割り当てられる物理リソースが小さくなることはあるが、当該仮想網に割り当てられた仮想リソースは当該仮想網内で利用されたままとなり、場合によっては利用されない浮いた状態のリソースとなり、限られたネットワーク資源の効率的な利用ができない場合が想定される。
【０００６】
本発明は、以上の点に鑑み、ネットワークリソースを柔軟に利用できる仕組みを提供することを目的とする。
【課題を解決するための手段】
【０００７】
本発明の第１の解決手段によると、
網監視装置であって、
制御部と、
リソースプールＩＤ、リソースＮＥＩＤ、リソースポートＩＤ、リソースポートの最大帯域、リソースポートの使用帯域が対応して格納されるリソースオブジェクト管理テーブルと、
リソースリンクＩＤ、リソースプールＩＤ、リソースリンクの両端のポートのリソースポートＩＤが対応して格納されるリソースリンク管理テーブルと、
リソースの全体または一部を用いて論理的に構築された仮想的なネットワークであるスライスのスライスＩＤ、仮想ＮＥＩＤ、仮想ポートＩＤ、仮想ポートの最大帯域が対応して格納される仮想オブジェクト管理テーブルと、
スライスＩＤ、仮想リンクＩＤ、仮想リンクの両端のポートの仮想ポートＩＤが対応して格納される仮想リンク管理テーブルと、
を備え、
前記制御部は、
スライス割当要求があると、前記リソースオブジェクト管理テーブルを検索し、登録されているリソースプールの一覧を、管理端末に送り、
前記管理端末から、選択されたリソースプールＩＤを受け、前記リソースオブジェクト管理テーブルを検索し、選択されたリソースプールＩＤに一致するレコードからリソースＮＥＩＤおよびリソースポートＩＤを、それぞれ全てまたは予め定められた複数取得し、リソースＮＥＩＤ・リソースポートＩＤ一覧として前記管理端末に送り、
前記管理端末により、前記リソースＮＥＩＤ・リソースポートＩＤ一覧から選択されたひとつまたは複数のリソースＮＥＩＤと、ひとつまたは複数のリソースポートＩＤと、選択したリソースポートＩＤ毎の割当て帯域とを受け、前記リソースリンク管理テーブルを検索し、選択されたひとつまたは複数のリソースＮＥＩＤおよびひとつまたは複数のリソースポートＩＤの組合わせに一致するレコードからリソースリンクＩＤを全てまたは予め定められた複数取得し、リソースリンクＩＤ一覧として、前記管理端末に送り、
前記管理端末により、前記リソースリンクＩＤ一覧から選択されたひとつまたは複数のリソースリンクＩＤを受け、
選択された前記リソースプールＩＤ、前記リソースＮＥＩＤ、前記リソールポートＩＤ、前記割当て帯域を、前記仮想オブジェクト管理テーブルのスライスＩＤ、仮想ＮＥＩＤ、仮想ポートＩＤ、仮想ポートの最大帯域に、それぞれ登録し、選択された前記リソースプールＩＤ、前記リソースリンクＩＤ、リソースリンクの両端のポートのリソースポートＩＤを、前記仮想リンク管理テーブルのスライスＩＤ、仮想リンクＩＤ、仮想リンクの両端のポートに、それぞれ登録し、前記仮想オブジェクト管理テーブルおよび前記仮想オブジェクト管理テーブルによりスライスを割当てる
網監視装置が提供される。
【０００８】
本発明の第２の解決手段によると、
網監視装置における仮想ネットワーク管理方法であって、
前記網監視装置は、
制御部と、
リソースプールＩＤ、リソースＮＥＩＤ、リソースポートＩＤ、リソースポートの最大帯域、リソースポートの使用帯域が対応して格納されるリソースオブジェクト管理テーブルと、
リソースリンクＩＤ、リソースプールＩＤ、リソースリンクの両端のポートのリソースポートＩＤが対応して格納されるリソースリンク管理テーブルと、
リソースの全体または一部を用いて論理的に構築された仮想的なネットワークであるスライスのスライスＩＤ、仮想ＮＥＩＤ、仮想ポートＩＤ、仮想ポートの最大帯域が対応して格納される仮想オブジェクト管理テーブルと、
スライスＩＤ、仮想リンクＩＤ、仮想リンクの両端のポートの仮想ポートＩＤが対応して格納される仮想リンク管理テーブルと、
を備え、
前記制御部は、
スライス割当要求があると、前記リソースオブジェクト管理テーブルを検索し、登録されているリソースプールの一覧を、管理端末に送り、
前記管理端末から、選択されたリソースプールＩＤを受け、前記リソースオブジェクト管理テーブルを検索し、選択されたリソースプールＩＤに一致するレコードからリソースＮＥＩＤおよびリソースポートＩＤを、それぞれ全てまたは予め定められた複数取得し、リソースＮＥＩＤ・リソースポートＩＤ一覧として前記管理端末に送り、
前記管理端末により、前記リソースＮＥＩＤ・リソースポートＩＤ一覧から選択されたひとつまたは複数のリソースＮＥＩＤと、ひとつまたは複数のリソースポートＩＤと、選択したリソースポートＩＤ毎の割当て帯域とを受け、前記リソースリンク管理テーブルを検索し、選択されたひとつまたは複数のリソースＮＥＩＤおよびひとつまたは複数のリソースポートＩＤの組合わせに一致するレコードからリソースリンクＩＤを全てまたは予め定められた複数取得し、リソースリンクＩＤ一覧として、前記管理端末に送り、
前記管理端末により、前記リソースリンクＩＤ一覧から選択されたひとつまたは複数のリソースリンクＩＤを受け、
選択された前記リソースプールＩＤ、前記リソースＮＥＩＤ、前記リソールポートＩＤ、前記割当て帯域を、前記仮想オブジェクト管理テーブルのスライスＩＤ、仮想ＮＥＩＤ、仮想ポートＩＤ、仮想ポートの最大帯域に、それぞれ登録し、選択された前記リソースプールＩＤ、前記リソースリンクＩＤ、リソースリンクの両端のポートのリソースポートＩＤを、前記仮想リンク管理テーブルのスライスＩＤ、仮想リンクＩＤ、仮想リンクの両端のポートに、それぞれ登録し、前記仮想オブジェクト管理テーブルおよび前記仮想オブジェクト管理テーブルによりスライスを割当てる
仮想ネットワーク管理方法が提供される。
【発明の効果】
【０００９】
本発明によれば、ネットワークリソースを柔軟に利用できる仕組みを提供することができる。
【図面の簡単な説明】
【００１０】
【図１】システム構成図。
【図２】機能ブロック図。
【図３】物理ネットワークオブジェクト管理テーブルの説明図。
【図４】リンク管理テーブルの説明図。
【図５】物理リソースからリソースプールを登録する際のフローチャート。
【図６】リソースオブジェクト管理テーブルの説明図。
【図７】リソースリンク管理テーブルの説明図。
【図８】リソースプール登録時の帯域の変化をテーブルに示したものの説明図。
【図９】スライス割当のフローチャート。
【図１０】仮想オブジェクト管理テーブルと仮想リンク管理テーブルの説明図。
【図１１】スライス割り当て時の帯域の変化をテーブルに示したものの説明図。
【図１２】リソースプール登録時のリソース管理系テーブルの説明図。
【図１３】管理構成の例を示す図。
【図１４】仮想リソースを貸し出す際のシーケンス図。
【図１５】通信キャリアＡの仮想リソース管理のフローチャート。
【図１６】通信キャリアＢの仮想リソース管理のフローチャート。
【発明を実施するための形態】
【実施例１】
【００１１】
以下、実施例を図面を用いて説明する。
図１は、本実施例のシステム構成図である。網監視装置（１０１）は、通信ネットワークを構成する装置であるＮＥ(Ｎｏｄｅ Ｅｌｅｍｅｎｔ)（１０３）で構成される物理ネットワーク（１０２）を監視する装置である。網監視装置（１０１）はＮＥ（１０３）と有線または無線の接続ライン（１０６）で接続しており、ＮＥ（１０３）の制御を行う。
網監視装置（１０１）は通信キャリアＡ、通信キャリアＢによって運用され、通信キャリアＡ管理端末（１０４）、通信キャリアＢ管理端末（１０５）から操作される。なお、図１では通信キャリアＡと通信キャリアＢとして記載しているが、通信キャリアは他にも複数あってよいものとする。
【００１２】
図２に、網監視装置（１０１）の機能ブロック図を示す。網監視装置（１０１）は送受信部（２０１）、制御部（２０２）、物理ネットワーク管理部（２０３）、仮想ネットワーク管理部（２０４）を備える。送受信部（２０１）は網監視装置（１０１）とＮＥ（１０３）、通信キャリアＡ端末（１０４）、通信キャリアＢ端末（１０５）とのインターフェースであり、網監視装置と外部装置との情報のやり取りを行う。制御部（２０２）にて送受信部（２０１）から受け取った情報を制御し、また、処理した情報を外部に出力する。
【００１３】
物理ネットワーク管理部（２０３）は、物理ネットワークオブジェクト管理テーブル（２０５）、リンク管理テーブル（２０６）を備える。物理ネットワークオブジェクト管理テーブル（２０５）、リンク管理テーブル（２０６）は物理ネットワーク（１０２）の構成情報を管理する。特に本実施例では、物理ネットワークオブジェクト管理テーブル（２０５）は、物理ネットワーク、ＮＥ、ポート(ポートの詳細は後述する)を管理するテーブルとする。ここで、例えば東京で構築した物理ネットワークと大阪で構築した物理ネットワークをそれぞれ「東京ネットワーク」と「大阪ネットワーク」と名付けて区別するように、物理ネットワークを地域や通信キャリア毎に区別して扱うために、物理ネットワーク（１０２）そのものにも識別子を付与して物理ネットワークオブジェクト管理テーブル（２０５）での管理対象の１つとする。また、ＮＥ（１０３）は、外部接続点を備えるものとし、外部接続点を「ポート」と呼ぶものとする。さらに、２つの異なるＮＥの各々のポートがケーブルで接続された状態を「リンク」と呼ぶ。リンク管理テーブル（２０６）は、リンクを管理するテーブルとする。
【００１４】
仮想ネットワーク管理部（２０４）は、リソースオブジェクト管理テーブル（２０７）、リソースリンク管理テーブル（２０８）、仮想オブジェクト管理テーブル（２０９）、仮想リンク管理テーブル（２１０）を備える。「リソースプール」は物理的なネットワークのリソースと仮想的なネットワークのリソースを統一的に管理するための概念として定義する。すなわち、物理ネットワーク（１０２）の全体または一部を切り出したものを「リソース」と呼び、リソースを網監視装置の仮想ネットワーク管理部（２０４）にてテーブル情報として管理する、すなわちリソース情報をプーリングする(リソースプール)。また、リソースの全体または一部を用いて論理的に構築した仮想的なネットワークを「スライス」と呼ぶ。
【００１５】
図３および図４に、物理ネットワークの構成情報を格納するテーブルの説明図を示す。
図３（Ａ）に示す物理ネットワークオブジェクト管理テーブル（２０５）には、ネットワーク、ＮＥおよびポートの識別情報が記憶される。なお、本実施例ではネットワーク、ＮＥ、ポートの識別情報を管理するテーブルを１つの物理ネットワークオブジェクト管理テーブル（２０５）として記載されているが、物理ネットワーク、ＮＥ、ポートの識別情報をそれぞれ別のテーブルで管理してもよい。
物理ネットワークオブジェクト管理テーブル（２０５）は、物理ネットワークの識別情報が格納されるネットワークＩＤ（３０１）、ＮＥの識別情報が格納されるＮＥＩＤ（３０２）、ポートの識別情報が格納されるポートＩＤ（３０３）、ポートの最大帯域が格納される最大帯域（３０４）、ポートの帯域のうち使用されている値を格納する使用帯域（３０５）を含む。
【００１６】
例として図３（Ｂ）に記載した構成の物理ネットワークを用いてテーブル構成を説明する。ポート（３０７）とポート（３０８）を備えるＮＥ（３０６）、ポート（３１０）とポート（３１１）を備えるＮＥ（３０９）、ポート（３１３）とポート（３１４）を備えるＮＥ（３１２）、ポート（３１６）とポート（３１７）を備えるＮＥ（３１５）があり、ポート（３０７）とポート（３１７）、ポート（３０８）とポート（３１０）、ポート（３１１）とポート（３１３）、ポート（３１１）とポート（３１３）、ポート（３１４）とポート（３１６）が物理的にケーブルで接続され、それぞれリンク（３２６）、リンク（３２７）、リンク（３２８）、リンク（３２９）としたネットワークがある。
当該ネットワークを識別するため当該ネットワークにネットワークＩＤ＝１を付与し、ＮＥ（３０６）を識別するためＮＥＩＤ＝１を付与し、ＮＥ（３０９）を識別するためＮＥＩＤ＝２を付与し、ＮＥ（３１２）を識別するためＮＥＩＤ＝３を付与し、ＮＥ（３１５）を識別するためＮＥＩＤ＝４を付与し、ポート（３０７）を識別するためポートＩＤ＝１．１を付与し、ポート（３０８）を識別するためポートＩＤ＝１．２を付与し、ポート（３１０）を識別するためポートＩＤ＝２．１を付与し、ポート（３１１）を識別するためポートＩＤ＝２．２を付与し、ポート（３１３）を識別するためポートＩＤ＝３．１を付与し、ポート（３１４）を識別するためポートＩＤ＝３．２を付与し、ポート（３１６）を識別するためポートＩＤ＝４．１を付与し、ポート（３１７）を識別するためポートＩＤ＝４．２を付与したとする。また、各ポートの最大帯域が２００ＭＢであったとする。
このとき、物理ネットワークオブジェクト管理テーブル（２０５）の1行目（３１８）のネットワークＩＤ（３０１）に１、ＮＥＩＤ（３０２）に１、ポートＩＤ（３０３）に１．１、最大帯域（３０４）に２００Ｍ、使用帯域（３０５）に０Ｍといった値が格納される。行（３１９）から行（３２５）まで同様に格納される。
【００１７】
また、図４に示すリンク管理テーブル（２０６）は、リンク（３２６）を識別するためリンクＩＤ＝１を付与し、リンク（３２７）を識別するためリンクＩＤ＝２を付与し、リンク（３２８）を識別するためリンクＩＤ＝３を付与し、リンク（３２９）を識別するためリンクＩＤ＝４を付与したとき、リンクＩＤ（４０１）列に当該リンクＩＤが、ネットワークＩＤ（４０２）列にリンクに対応するネットワークＩＤの値が、Ａ点ポートＩＤ（４０３）列にリンクの接続されるポートの一方のポートＩＤが、Ｚ点ポートＩＤ（４０４）列にリンクの接続されるポートのもう一方のポートＩＤが格納される。
【００１８】
図５に、物理ネットワークオブジェクト管理テーブル（２０５）、リンク管理テーブル（２０６）に格納された物理的なネットワーク構成情報から、リソースプールを作成する場合のフローチャートを、図６および図７に、図５のフローチャートに従い作成されるリソースオブジェクト管理テーブル（２０７）の説明図、およびリソースリンク管理テーブル（２０８）の説明図を示す。
物理ネットワーク管理テーブル（２０５）、リンク管理テーブル（２０６）により、物理的なネットワーク構成情報が登録された契機で、自動的にリソースプール登録要求（５０１）が行われ、制御部（２０２）は、それを受けるものとする。制御部（２０２）は、物理ネットワークオブジェクト管理テーブル（２０５）に登録されているレコードを、最上位行に登録されているレコードから確認し（５０２）、フロー（５０２）以降の処理を実施していないレコード（未確認のレコード）が無いか確認し、未確認のレコードがある場合、制御部（２０２）は、当該レコードが登録されている物理ネットワークオブジェクト管理テーブルの最上位１行をコピーし(５０３)、リソースオブジェクト管理テーブル（２０７）にコピーする（５０４）。
すなわち、制御部（２０２）は、フロー（５０３）にてコピーした物理ネットワークオブジェクト管理テーブル（２０５）のネットワークＩＤ（３０１）に登録されている値をリソースオブジェクト管理テーブル（２０７）のリソースプールＩＤ（６０１）に、ＮＥＩＤ（３０２）に登録されている値をリソースＮＥＩＤ（６０２）に、ポートＩＤ（３０３）に登録されている値をリソースポートＩＤ（６０３）に、最大帯域（３０４）に登録されている値を最大帯域（６０４）に、使用帯域（３０５）に登録されている値を使用帯域（６０５）に登録（ペースト）する（５０４）。制御部（２０２）は、ペースト後、物理ネットワークオブジェクト管理テーブル（２０５）のコピー元レコードの使用帯域（３０５）に、最大帯域（３０４）に登録されている値と同じ値を登録する（５０５）。
【００１９】
ここで、図３（Ａ）の物理ネットワークオブジェクト管理テーブル（２０５）の情報から上述のフロー（５０３）〜（５０５）のようにリソースプール登録した際、図６（Ａ）に示すリソース情報がリソースオブジェクト管理テーブル（２０７）に登録される。登録されたリソースを概念図であらわしたものを図６（Ｂ）に示す。
【００２０】
制御部（２０２）は、フロー（５０２）にて未確認のレコードが無い場合、リンク管理テーブル（２０６）に登録されているレコードを、最上位行に登録されているレコードから確認し（５０６）、フロー（５０６）以降の処理を実施していないレコード（未確認のレコード）が無いか確認し、未確認のレコードがある場合、制御部（２０２）は、当該レコードが登録されているリンク管理テーブル（２０６）の最上位１行をコピーし(５０７)、リソースリンク管理テーブル（２０８）にコピーする（５０８）。
すなわち、制御部（２０２）は、フロー（５０７）にてコピーしたリンク管理テーブル（２０６）のリンクＩＤ（４０１）に登録されている値をリソースリンク管理テーブルのリソースリンクＩＤ（７０１）に、ネットワークＩＤ（４０２）に登録されている値をリソースプールＩＤ（７０２）に、Ａ点ポートＩＤ（４０３）に登録されている値をＡ点リソースポートＩＤ（７０３）に、Ｚ点ポートＩＤ（４０４）に登録されている値をＺ点リソースポートＩＤ（７０４）に登録（ペースト）する（５０８）。
【００２１】
ここで、図４のリンク管理テーブル（２０６）の情報から上述のフロー（５０７）〜（５０８）のようにリソースプール登録した際、図７（Ａ）に示すリソース情報がリソースリンク管理テーブル（２０８）に登録される。図６（Ａ）のリソースオブジェクト管理テーブル（２０７）、および図７（Ａ）のリソースリンク管理テーブル（２０８）に登録されたリソースを概念図であらわしたものを図７（Ｂ）に示す。
フロー（５０６）にて未確認のレコードが無い場合、制御部（２０２）は、処理を終了する。
【００２２】
図８に、図５のフロー処理後の物理ネットワークオブジェクト管理テーブル（２０５）とリソースオブジェクト管理テーブル（２０７）を示す。制御部（２０２）は、フロー（５０５）にて物理ネットワーク管理テーブル（２０５）の使用帯域の値を更新しているため、物理ネットワークオブジェクト管理テーブル（２０５）の使用帯域（３０５）が２００Ｍに変化している。
【００２３】
図９に、リソースプールからスライスを割り当てるフローチャートを示す。リソースオブジェクト管理テーブル（２０７）やリソースリンク管理テーブル（２０８）に登録されたリソースＮＥ、リソースポートといった論理リソースを、当該リソースプールに１対１に紐付いたスライスに割り当て、仮想的なネットワーク、すなわちスライスを作成する。
【００２４】
網監視装置（１０１）の操作者のスライス割当要求（９０２）があると、制御部（２０２）は、リソースオブジェクト管理テーブル（２０７）を検索し、登録されているリソースプールの一覧を、運用者（管理端末（１０４や１０５））に返す（９０３）。この一覧は管理端末（１０４や１０５）上に表示される。操作者はリソースプールの一覧からスライスを割り当てたいリソースプールを１つ選択する（９０４）。リソースプールが選択されると、制御部（２０２）は、それを受け、リソースオブジェクト管理テーブル（２０７）を検索し、選択されたリソースプールのリソースプールＩＤに一致するレコードからリソースＮＥＩＤを全て取得し、リソースＮＥの一覧として返す（９０５）。操作者は、管理端末（１０４や１０５）により、リソースＮＥの一覧からスライスに割り当てたいリソースＮＥを全て選択する（９０６）。リソースＮＥが選択されると、制御部（２０２）は、それを受け、リソースオブジェクト管理テーブル（２０７）を検索し、選択されたリソースＮＥのリソースＮＥＩＤのいずれかに一致するレコードからリソースポートを全て取得し、リソースポートの一覧として、管理端末（１０４や１０５）に返す（９０７）。操作者は、管理端末（１０４や１０５）により、リソースポートの一覧からスライスに割り当てたいリソースポートを全て選択する（９０８）。また、操作者は管理端末（１０４や１０５）により選択したリソースポート毎に割り当てたい帯域を決める（９０９）。管理端末（１０４や１０５）によりリソースポートが選択されると、制御部（２０２）は、それを受け、リソースリンク管理テーブル（２０８）を検索し、選択されたリソースポートのリソースポートＩＤのいずれかが、Ａ点リソースポートＩＤ、Ｚ点リソースポートＩＤいずれにも一致するレコードからリソースリンクＩＤを全て取得し、リソースリンクＩＤを全て取得し、リソースリンクの一覧として、管理端末（１０４や１０５）に返す（９１０）。操作者は、管理端末（１０４や１０５）により、リソースリンクの一覧からスライスに割り当てたいリソースリンクを全て選択する（９１１）。つぎに、制御部（２０２）は、管理端末（１０４や１０５）から操作者が選択した情報を受け操作者が選択したリソースプール、リソースＮＥ、リソールポートの情報、帯域を仮想オブジェクト管理テーブル（２０９）に、操作者が選択したリソースリンク情報を仮想リンク管理テーブル（２１０）に登録し、スライスとして管理する（９１２）。
【００２５】
ここで、図１０（Ａ）および図１０（Ｂ）に、例えば、図６（Ａ）で示したリソースオブジェクト管理テーブル（２０７）、および図７（Ａ）で示したリソースリンク管理テーブル（２０８）のデータから、図９のフローに従ってスライスを割り当てた時の仮想オブジェクト管理テーブル（２０９）および仮想リンク管理テーブル（２１０）を示す。
【００２６】
以下、図９のフローに添って図１０（Ａ）〜図１０（Ｃ）を形成する場合の例について説明する。
フロー（９０３）にて、制御部（２０２）は、リソースオブジェクト管理テーブル（２０７）を検索し、リソースプールＩＤ１のリソースプールが取得され、一覧表示する。フロー（９０４）にて、操作者はリソースプールＩＤ１のリソースプールを選択する。制御部（２０２）は、リソースプールＩＤ１のレコードより、リソースＮＥＩＤ１、２、３、４のリソースＮＥを取得し、一覧表示する。操作者はリソースＮＥＩＤ１と２のリソースＮＥを選択する。制御部（２０２）は、リソースＮＥＩＤ１または２のレコードより、リソースポートＩＤ１．１、１．２、２．１、２．２のリソースポートを取得し、一覧表示する。操作者はリソースポートＩＤ１．２と２．１のリソースポートを選択する。また、リソースポートＩＤ１．２、２．１のリソースポートの帯域として１００Ｍを割り当てる。制御部（２０２）はリソースリンク管理テーブル（２０８）を検索し、リソースポートＩＤ１．２または２．１のいずれかが、Ａ点リソースポートＩＤ、Ｚ点リソースポートＩＤに登録されているレコードより、リソースリンクＩＤ１のリソースリンクを取得し、一覧表示する。操作者はリソースリンクＩＤ１のリソースリンクを選択する。
【００２７】
制御部（２０２）は、仮想オブジェクト管理テーブル（２０９）には、選択したリソースプールＩＤと同じ値をスライスＩＤ（１００１）に、選択したリソースＮＥＩＤと同じ値を仮想ＮＥＩＤ（１００２）に、選択したリソースポートＩＤと同じ値を仮想ポートＩＤ（１００３）に、割り当てた帯域を最大帯域（１００４）に登録する。また、仮想リンク管理テーブル（２１０）には、選択したリソースプールＩＤと同じ値をスライスＩＤ（１００５）に、選択したリソースリンクＩＤと同じ値を仮想リンクＩＤに、選択したリソースリンクＩＤのＡ点リソースポート、Ｚ点リソースポートと同じ値をＡ点仮想ポートＩＤ、Ｚ点仮想ポートＩＤに登録する。
【００２８】
図１０（Ｃ）に、前述の例にて登録されるスライスを示す。また、図１１に図１０（Ｃ）のスライス割当後のリソースオブジェクト管理テーブル（２０７）を示す。スライスに帯域１００Ｍで割り当てたリソースポートＩＤ１．２、２．１の使用帯域が１００Ｍとなる。
【００２９】
なお、仮想オブジェクト管理テーブル（２０９）、仮想リンク管理テーブル（２１０）の各ＩＤ情報は対応するリソースオブジェクト管理テーブル（２０７）、リソースリンク管理テーブル（２０８）のＩＤ値と同じ値を登録しているが、ＩＤの付与則を別に決めて登録してもよく、必ずしも同じ値である必要は無い。
【００３０】
ここで、リソースプールに登録されているリソースから新たなリソースプールを登録することができる。登録元とするリソースプールを選択し、登録したいリソース(例えばリソースＮＥ)を登録元のリソースプールから選択し、リソースオブジェクト管理テーブル（２０７）もしくはリソースリンク管理テーブル（２０８）に新たなレコードを追加する。この時、リソースプールを新規作成し新たなリソースプールＩＤを採番し、レコードを登録してもよいし、すでに登録済のリソースプール(ＩＤ採番済)に追加を行ってもよい。
【００３１】
なお、フロー（９０５）とフロー（９０７）の各一覧を返す処理を、まとめてひとつの一覧を返すようにしてもよい。例えば、この場合、制御部（２０２）は、管理端末から、選択されたリソースプールＩＤを受け、リソースオブジェクト管理テーブルを検索し、選択されたリソースプールＩＤに一致するレコードからリソースＮＥＩＤ及びリソースポートＩＤを、それぞれ全て又は予め定められた複数取得し、リソースＮＥＩＤ・リソースポートＩＤ一覧として管理端末に送るようにしてもよい。そして、制御部（２０２）は、管理端末により、リソースＮＥＩＤ・リソースポートＩＤ一覧から選択されたひとつ又は複数のリソースＮＥＩＤと、ひとつ又は複数のリソースポートＩＤと、選択したリソースポートＩＤ毎の割当て帯域とを受け、リソースリンク管理テーブルを検索し、選択されたひとつ又は複数のリソースＮＥＩＤ及びひとつ又は複数のリソースポートＩＤの組合わせに一致するレコードからリソースリンクＩＤを全て又は予め定められた複数取得し、リソースリンクＩＤ一覧として、管理端末に送るようにしてもよい。
【００３２】
図１２に、既存のリソースプールのリソースから新たにリソースプールを登録した時の
リソースオブジェクト管理テーブル（２０７）、リソースリンク管理テーブル（２０８）の例を示す。
新規リソースプールとして登録元リソースプール(ＩＤ＝１)から、ＩＤ＝２のリソースプールを登録し、リソースＮＥとしてＩＤ＝５、ＩＤ＝６のリソースＮＥを登録し、当該ＮＥに属するリソースポートとしてそれぞれＩＤ＝５．１、５．２、ＩＤ＝６．１、６．２のリソースポートを登録し、リソースポートＩＤ＝５．２とＩＤ＝６．１の間にリソースリンクＩＤ＝５を登録した、新たなリソースプールＩＤ＝２を登録したことを示している。
【００３３】
図１３に、本実施例の網監視装置を使った仮想ネットワーク管理の例を示す。
通信キャリアＡは、物理的な装置(１３０２)で構成されるネットワーク、および網監視装置(１３０１)の管理ユーザであるとする。物理リソースは物理ネットワーク管理部の各テーブルによって構成情報管理されている(１３０３)。物理ネットワークのリソースを論理的なリソースとして管理する、リソースプールＡ(１３０４)には物理ネットワークリソースに対応する全てのリソースが含まれている。通信キャリアＡは、自身で管理したいネットワークリソースをリソースプールＡからスライスＡ(１３０５)に割り当てる。
ここでスライスＡ(１３０５)に割り当てずに残ったリソースプールＡのリソースは、新たにリソースプールを登録して割り当てることが可能である。通信キャリアＢは、物理的な装置やネットワークは持っていないが、仮想ネットワークを管理してサービスを提供する事業者とする。通信キャリアＡは通信キャリアＢに対して、リソースプールＡ(１３０４)から新たなリソースプールＢ(１３０６)を登録し、これを通信キャリアＢに管理させることで、通信キャリアＡとしては余っているリソースを有効活用でき、通信キャリアＢは借りたリソースを使って自由に仮想ネットワーク、すなわちスライスＢ(１３０７)を作って運用できる。
【００３４】
図１４に、通信キャリアＡが通信キャリアＢにリソースを貸し出す場合のシーケンスの例を示す。通信キャリアＢ(１４０１)から通信キャリアＡ(１４０２)に対し、仮想リソースを貸し出してくれるよう要求がある(１４０５)。通信キャリアＡは、通信キャリアＢ用のリソースプールを登録するよう網監視装置（１４０３）に依頼し、網監視装置（１４０３）は、それを登録する(１４０６)。また通信キャリアＡは、当該リソースプールの管理権限を通信キャリアＢに付与するよう網監視装置（１４０３）に依頼し、網監視装置（１４０３）は、通信キャリアＢにリソースプールを貸し出す（１４０７）。
【００３５】
図１５に、通信キャリアＡの仮想リソース管理のフローチャートの例を示す。ここで、物理ネットワークのリソースに対応するリソースプール(例えば、図１３のリソースプールＡ（１３０４）)を、ベースリソースプールと呼ぶこともある。通信キャリアＡは、管理端末１により、本実施例の網監視装置運用時、ベースリソースプールから通信キャリアＡが管理するための仮想ネットワーク、すなわちスライスに割り当てるリソースをベースリソースプールから選択する(１５０２)。通信キャリアＡは、管理端末によりベースリソースプールの残リソースを確認し(１５０３)、残リソースが無ければ(１５０３の残無し)スライス割当は失敗し(１５０４)、残リソースがあれば(１５０４で残有り)スライス割当が成功する。
【００３６】
図１６に、通信キャリアＢの仮想リソース管理のフローチャートの例を示す。通信キャリアＢは、管理端末により、自身が管理できるリソースプールの有無を確認し(１６０２)、リソースプールが無ければ(１６０２の無し)、通信キャリアＡにリソースプールの貸し出し要求を行う(１６０３)。通信キャリアＡは、管理端末により、通信キャリアＢ用のリソースプールを新規登録する。通信キャリアＢが要求したリソースに対し、通信キャリアＡが管理するリソースプールのリソースの残量が足りないようなケースは通信キャリアＢ用のリソースプール登録は失敗し(１６０４で登録失敗、１６０６)、そうでなければ、通信キャリアＢ用のリソースプールは登録され(１６０４で登録成功)、通信キャリアＢは、管理端末により、自身に貸し出されたリソースプールから自身が管理する仮想ネットワーク、すなわちスライスにリソースを割り当てるため、貸し出されたリソースプールからリソースを選択する(１６０５)。通信キャリアＢは、管理端末により、スライスに割り当てたいリソースが自身に貸し出されたリソースプールに存在するかどうかを確認し(１６０７)、残リソースが無ければ(１６０７の残無し)スライス割当は失敗し(１６０８)、残リソースがあれば(１６０７で残有り)スライス割当を実行する(１６０９)。
【実施例２】
【００３７】
実施例１では、図９にスライス割当のフローチャートを示したが、すでに割当済のスライス情報を更新する、すなわち、登録済の仮想リソース削除し、当該スライスに紐付くリソースプールに戻してもよい。また、割当済のスライスに対して、さらに追加で対応するリソースプールから仮想リソースを割り当ててもよい。
【００３８】
同様に、登録済リソースプールの情報を更新する、すなわち、登録済リソースプールのリソース情報を削除し、登録元リソースプールにリソース情報を戻してもよい。また、登録済リソースプールに対して、さらに追加で登録元リソースプールのリソース情報を追加してもよい。
【実施例３】
【００３９】
実施例１、および２では、図２で示したような構成管理情報、すなわち、ＮＥ、ポート、リンクにのみ言及しているが、ネットワークを構成するその他の情報を扱ってもよい。例えば、ある異なる２つのＮＥ間がリンクで辿れるとき、それを当該ＮＥ間を結ぶパスという管理情報として定義し、当該パス情報を本実施例に適用してもよい。
【００４０】
［実施例の効果］
本実施例によれば、ネットワーク資源の抽象化管理技術として仮想および物理のモデルを抽象化した「リソース」を「プール化」して管理するモデルを確立し、統一的なモデルで一元的に管理可能とすることができる。
また、本実施例によれば、ネットワーク資源の抽象化管理技術として仮想および物理のモデルを抽象化した「リソース」を「プール化」して統一のモデルで一元的に管理可能とすることで、ネットワーク全体のリソースを割り当てる方法を確立し、また、ネットワークリソースそのものを割り当てるのではなく、リソースプールの形で貸し出すことで、貸し出し元の作業軽減と、受け手側ユーザが受け取ったリソースを自由にカスタマイズできるため、多様な要求にも柔軟、迅速に対応可能となった。
【００４１】
［付記］
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４２】
１０１  網監視装置
１０２  物理ネットワーク
１０３  ＮＥ(Ｎｏｄｅ Ｅｌｅｍｅｎｔ)
１０４  通信キャリアＡ管理端末
１０５  通信キャリアＢ管理端末
１０６  有線または無線の接続ライン
【図１】
2016116184.tif 000003
【図２】
2016116184.tif 000004
【図３】
2016116184.tif 000005
【図４】
2016116184.tif 000006
【図５】
2016116184.tif 000007
【図６】
2016116184.tif 000008
【図７】
2016116184.tif 000009
【図８】
2016116184.tif 000010
【図９】
2016116184.tif 000011
【図１０】
2016116184.tif 000012
【図１１】
2016116184.tif 000013
【図１２】
2016116184.tif 000014
【図１３】
2016116184.tif 000015
【図１４】
2016116184.tif 000016
【図１５】
2016116184.tif 000017
【図１６】
2016116184.tif 000018